(57)【要約】【課題】シート表面における排泄物の拡散を防止することができる技術を提供する。【解決手段】ペット用シート１０は、吸収体２０、表面シート３０および裏面シート４０により構成されている。吸収体２０は、親水性繊維により形成される第１の吸収層２１、吸水性樹脂により形成される第２の吸収層２２、表面側被覆シート２３および裏面側被覆シート２４を有している。裏面側被覆シート２４は、親水性繊維を疎水化処理したシート、疎水性繊維を親水化処理したシート、疎水性繊維と親水性繊維を混合したシートのうちのいずれかにより構成されている。【選択図】図２
2014014303.tif 000002
【特許請求の範囲】
【請求項１】
液透過性の表面シートと、液不透過性の裏面シートと、前記表面シートと前記裏面シートの間に配置され、前記表面シートを透過した排泄物を吸収する吸収体を備え、
前記表面シートは、前記裏面シートが載置箇所に載置されている状態で、ペットの排泄物を受けるように構成されているペット用シートであって、
前記吸収体は、吸収層と、前記吸収層より前記表面シート側に配置される表面側被覆シートと、前記吸収層より前記裏面シート側に配置される裏面側被覆シートにより構成されており、
前記裏面側被覆シートは、親水性繊維を疎水化処理したシート、疎水性繊維を親水化処理したシート、疎水性繊維と親水性繊維を混合したシートのうちのいずれかにより構成されていることを特徴とするペット用シート。
【請求項２】
請求項１に記載のペット用シートであって、
前記裏面側被覆シートは、前記表面側被覆シートより液体拡散性が低いことを特徴とするペット用シート。
【請求項３】
請求項１または２に記載のペット用シートであって、
前記裏面側被覆シートは、疎水化処理が施された紙により構成されていることを特徴とするペット用シート。
【請求項４】
請求項１〜３のうちのいずれか一項に記載のペット用シートであって、
前記疎水化処理は、撥水剤を用いて行われることを特徴とするペット用シート。
【請求項５】
請求項１または２に記載のペット用シートであって、
前記裏面側被覆シートは、長繊維を含む不織布により構成されていることを特徴とするペット用シート。
【請求項６】
請求項５に記載のペット用シートであって、
前記裏面側被覆シートは、長繊維とメルトブローン繊維を含む不織布により構成されていることを特徴とするペット用シート。
【請求項７】
請求項１〜６のうちのいずれか一項に記載のペット用シートであって、
前記吸収層は、親水性繊維と吸水性樹脂により形成されていることを特徴とするペット用シート。
【請求項８】
請求項７に記載のペット用シートであって、
前記吸収層は、親水性繊維により形成される第１の吸収層と、前記吸水性樹脂により形成される第２の吸収層を有していることを特徴とするペット用シート。
【請求項９】
請求項８に記載のペット用シートであって、
前記第２の吸収層は、前記第１の吸収層より前記表面側被覆シート側に配置されていることを特徴とするペット用シート。
【請求項１０】
請求項７〜９のうちのいずれか一項に記載のペット用シートであって、
前記親水性繊維としてパルプが用いられていることを特徴とするペット用シート。
【請求項１１】
請求項１〜１０のうちのいずれか一項に記載のペット用シートであって、
前記裏面側被覆シートは、水１００μｌを滴下してから５分経過後の液体拡散面積が２０ｃｍ２以下であることを特徴とするペット用シート。
【発明の詳細な説明】
【技術分野】
【０００１】
本発明は、犬や猫等のペットの排泄物を処理するために使用されるペット用シートに関し、特に、シート表面における排泄物の拡散を抑えることができるペット用シートに関する。
【背景技術】
【０００２】
犬や猫等のペットの排泄物（特に、尿）を処理するためのペット用シートが用いられている。ここで、ペットは、濡れた場所での排泄をきらう傾向がある。また、ペットは、ペット用シートのどの位置に排泄するかわからない。このため、１枚のペット用シートで複数回の排泄を行うことができるようにするためには、ペット用シートに排泄された排泄物がシート表面に拡散するのを抑制する（拡散面積を狭める）ことが必要となる。
【０００３】
排泄物がシート表面に拡散するのを抑制することができるペット用シートとして、例えば、特許文献１に開示されているペット用シートが知られている。
【０００４】
特許文献１に開示されているペット用シートは、液透過性の表面シート、液不透過性の裏面シート、表面シートと裏面シートの間に配置されている吸収体により構成されている。吸収体は、吸収層と、吸収層より表面シート側に配置されている表面側被覆シート、吸収層より裏面シート側に配置されている裏面側被覆シートを有している。
吸収層は、親水性繊維により形成されている第１の吸収層、吸水性樹脂により形成され、第１の吸収層より表面側被覆シート側に配置されている第２の吸収層、吸水性樹脂により形成され、第１の吸収層より裏面側被覆シート側に配置されている第３の吸収層を有している。
【０００５】
特許文献１に開示されているペット用シートは、吸収層の表面では第２の吸収層によって排泄物（尿等の液体）を吸収し、また、第３の吸収層で吸収されなかった残りの排泄物を第３の吸収層で吸収する。これにより、排泄物がシート表面に拡散するのが抑制されている。
【先行技術文献】
【特許文献】
【０００６】
【特許文献１】特開平１１−３３２４１３
【発明の概要】
【発明が解決しようとする課題】
【０００７】
本発明者らは、吸収層に吸収された排泄物がシート表面側に戻り、シート表面で拡散するのを抑制することができる技術について種々検討した結果、吸収層より裏面シート側に配置される裏面側被覆シートを適切に選択することによっても吸収層に吸収された排泄物がシート表面側に戻るのを抑制することができることを見出した。
したがって、本発明は、吸収層に吸収された排泄物がシート表面側に戻るのを抑制することによって、排泄物がシート表面で拡散するのを抑制することができる新規な技術を提供することを目的とする。
【課題を解決するための手段】
【０００８】
本発明のペット用シートは、液透過性の表面シート、液不透過性の裏面シート、表面シートと裏面シートの間に配置され、表面シートを透過した排泄物を吸収する吸収体を備えている。なお、本発明のペットシートは、裏面シートが床面等の載置箇所に載置された状態で、表面シートがペットの排泄物を受けるように構成されている。吸収体は、吸収層と、吸収層より表面シート側に配置される表面側被覆シートと、吸収層より裏面シート側に配置される裏面側被覆シートを有している。吸収層は、親水性繊維、好適には、親水性繊維と吸水性樹脂により形成される。
本発明では、裏面側被覆シートに疎水性が付与されている。具体的には、裏面側被覆シートは、親水性繊維を疎水化処理したシート、疎水性繊維を親水化処理したシート、疎水性繊維と親水性繊維を混合したシートのうちのいずれかにより構成されている。
親水性繊維としては、例えば、パルプ、レーヨン等が用いられる。親水性繊維を疎水化処理する方法としては、例えば、疎水化剤を散布する方法が用いられる。疎水性繊維としては、例えば、ポリプロピレン、ポリエチレン、ポリエチレンテレフタレート等が用いられる。疎水性繊維を親水化処理する方法としては、例えば、親水剤を繊維に練り込む方法や親水剤を塗布する方法等が用いられる。親水性繊維と疎水性繊維を混合する際には、所望の特性を得ることができるように、適宜の割合で混合される。
本発明では、裏面側被覆シートが疎水性を有しているため、吸収層から裏面側被覆シートに移行した排泄物が裏面側被覆シートに沿って広がるのが抑制される。これにより、排泄物が裏面側被覆シートから吸収層を通ってシート表面側に移行するのが抑制され、結果的に、排泄物がシート表面で拡散するのが抑制される。
【０００９】
本発明の異なる形態では、裏面側被覆シートが、表面側被覆シートより液体拡散性が低くなるように構成されている。被覆シートの液体拡散性は、例えば、水１００μｌを滴下した後５分経過した時点での液体拡散面積によって表される。
裏面側被覆シートの液体拡散性（例えば、液体拡散面積）を表面側被覆シートの液体拡散性より低く設定することによって、吸収層で吸収された排泄物が裏面側被覆シートに沿って拡がってシート表面側に逆戻りするのを抑制することができ、結果的に、排泄物がシート表面で拡散するのが抑制される。なお、裏面側被覆シートの液体拡散性と表面側被覆シートの液体拡散性との差が大きい程、吸収層で吸収された排泄物が裏面側被覆シートに沿って拡がってシート表面側に逆戻りするのを抑制することができる効果が高い。
本形態では、裏面側被覆シートの液体拡散性が表面側被覆シートの液体拡散性より低いため、裏面側被覆シートに到達した排泄物が拡散するのを抑制することができる。これにより、裏面側被覆シートで拡散した排泄物がシート表面側に逆戻りし、結果的に、排泄物がシート表面で拡散するのが抑制される。
【００１０】
本発明の他の異なる形態では、裏面側被覆シートは、疎水化処理が施された紙により構成されている。
【００１１】
本発明の他の異なる形態では、疎水化処理は、撥水剤を用いて行われている。
【００１２】
本発明の他の異なる形態では、裏面側被覆シートは、長繊維を含む不織布により構成されている。
【００１３】
本発明の他の異なる形態では、裏面側被覆シートは、長繊維とメルトブローン繊維を含む不織布により構成されている。
【００１４】
本発明の他の異なる形態では、吸収層は、親水性繊維と吸水性樹脂により形成されている。
【００１５】
本発明の他の異なる形態では、吸収層は、親水性繊維により形成される第１の吸収層と、吸水性樹脂により形成される第２の吸収層を有している。
【００１６】
本発明の他の異なる形態では、第２の吸収層は、第１の吸収層より表面側被覆シート側に配置されている。
【００１７】
本発明の他の異なる形態では、親水性繊維としてパルプが用いられている。
【００１８】
本発明の他の異なる形態では、裏面側被覆シートは、水１００μｌを滴下した後５分経過した時点での液体拡散面積が２０ｃｍ２以下に設定されている。
【発明の効果】
【００１９】
本発明では、吸収層に吸収された排泄物がシート表面側に戻るのを抑制することによって、排泄物がシート表面で拡散するのを抑制することができる。
【図面の簡単な説明】
【００２０】
【図１】本発明のペット用シートの一実施の形態の斜視図である。
【図２】図１のＩＩ−ＩＩ線断面図である。
【図３】一実施の形態のペット用シートの作用を説明する図である。
【図４】本発明のペット用シートの他の実施の形態の断面図である。
【図５】従来のペット用シートの作用を説明する図である。
【発明を実施するための形態】
【００２１】
以下に、本発明の実施の形態を、図面を参照して説明する。
なお、以下の詳細な説明は、本発明の好ましい適用例を実施するための詳細情報を当業者に教示するに留まり、本発明の技術的範囲は、当該詳細な説明によって制限されず、特許請求の範囲の記載に基づいて定められる。このため、以下の詳細な説明における各構成あるいは各方法は、広義の意味において、本発明を実施するのに全て必須であるというものではなく、本発明の代表的形態を開示するに留まるものである。
【００２２】
本発明の一実施の形態のペット用シート１０が、図１および図２に示されている。なお、図１は、本実施の形態のペット用シート１０の斜視図であり、図２は、図１のＩＩ−ＩＩ線断面図である。
【００２３】
ペット用シート１０は、図１に示されているように、長手方向ＬＤに沿った長辺と、幅方向ＷＤに沿った短辺を有する長方形に形成されている。勿論、ペット用シート１０は、長方形以外の種々の形状に形成することができる。
【００２４】
ペット用シート１０は、吸収体２０、表面シート３０および裏面シート４０により構成されている。吸収体２０は、表面シート３０と裏面シート４０の間に配置され、表面シート３０と裏面シート４０によって覆われている。なお、ペット用シート１０は、表面シート３０が排泄物を受けるように、裏面シート４０が載置箇所（例えば、床面６０）に載置される。すなわち、裏面シート４０、吸収体２０および表面シート３０が上下方向に積層されている。
【００２５】
表面シート３０は、排泄物に含まれている液体（尿等）を透過させる液透過性を有している。表面シート３０は、液透過性を有していればよく、例えば、サーマルボンド不織布、ポイントボンド不織布、エアスルー不織布、スパンレース不織布、スパンボンド不織布等の不織布や開孔フィルムにより構成することができる。
【００２６】
裏面シート４０は、排泄物に含まれている液体の透過を阻止ないし抑制する液不透過性あるいは撥水性を有している。裏面シート４０は、液不透過性を有していればよく、例えば、ポリエチレン、ポリプロピレン、ポリエチレンテレフタレート等により形成された樹脂フィルムにより構成することができる。例えば、目付が１７［ｇ／ｍ２］のポリエチレン製フィルムを用いて構成することができる。また不織布に撥水剤が塗布されたものを裏面シート４０として用いることもできる。なお、［ｇ／ｍ２］は、目付を示す単位であり、１平方メートルあたりの重量（グラム）を示す。
表面シート３０と裏面シート４０は、吸収体２０を覆うことができる形状に形成されており、吸収体２０を覆った状態で周縁部分が接合されている。
【００２７】
吸収体２０は、吸収層、表面側被覆シート２３および裏面側被覆シート２４を有している。
吸収層は、親水性繊維により形成されている第１の吸収層（「吸収体コア層」ともいう）２１と、吸水性樹脂により形成されている第２の吸収層（「分散層」ともいう）２２を有している。第２の吸収層２２は、第１の吸収層２１より表面シート３０側（上側）に配置されている。
【００２８】
第1の吸収層２１は、典型的には、親水性繊維を目付が６０ｇ／ｍ２となるように積層して構成される。親水性繊維としては、例えば、フラッフパルプが用いられる。
第２の吸収層２２は、典型的には、吸水性樹脂を目付が３９［ｇ／ｍ２］となるように第１の吸収層２１の上面（表面シート３０側の表面）に散布して構成される。吸水性樹脂としては、例えば、高吸収性ポリマー（「ＳＡＰ」ともいう）が用いられる。なお、親水性繊維により形成されている第１の吸収層２１の上面に吸水性樹脂を均一に散布する場合、吸水性樹脂が親水性繊維の間に入り込み、第１の吸収層２１と第２の吸収層２２が完全に分離した状態とならないことがある。
【００２９】
吸収層は、表面側被覆シート２３と裏面側被覆シート２４の間に配置され、表面側被覆シート２３と裏面側被覆シート２４により覆われている。なお、表面側被覆シート２３は、吸収層より表面シート３０側（上側）に配置され、裏面側被覆シート２４は、吸収層より裏面シート４０側（下側）に配置されている。
表面側被覆シート２３は、典型的には、針葉樹パルプからなるティッシュ（例えば、目付が１２〜２５［ｇ／ｍ２］のティッシュ）によって構成される。裏面側被覆シート２４については、後述する。
本実施の形態では、表面側被覆シート２３と裏面側被覆シート２４によって吸収層を包み込むために、表面側被覆シート２３の両端部２３ａおよび２３ｂが、裏面側被覆シート２４の両端部の下方側（裏面シート４０側）に折り重ねられている。
【００３０】
ここで、裏面側被覆シート２４として表面側被覆シート２３と同じシートを用いた場合の動作を、図５を参照して説明する。
（１）ペット用シート上でペットが排泄を行うと、表面シートおよび表面側被覆シート３２３を透過した排泄物（尿）Ｘは、先ず、第２の吸収層３２２において、吸収速度が速い吸水性樹脂に吸収される。
（２）第２の吸収層３２２の吸水性樹脂で吸収することができなかった排泄物Ｘは、第１の吸収層３２１に移行し、裏面側被覆シート３２４に到達する。
（３）裏面側被覆シート３２４は、吸収層（第１の吸収層３２１、第２の吸収層３２２）に比べて密度が高いため、裏面側被覆シート３２４に到達した排泄物Ｘは、毛細管現象により裏面側被覆シート３２４に沿って広がっていく（拡散していく）。
（４）裏面側被覆シート３２４内で広がった（拡散した）排泄物Ｘは、再び吸収層（第１の吸収層３２１、第２の吸収層３２２）に吸収され、表面シートに達する。結果的に、シート表面において排泄物が拡散する。
【００３１】
前述したように、ペットは、濡れた場所での排泄を嫌うため、排泄物がシート表面において拡散すると、１枚のシートで排泄する回数が減少する。また、排泄物がシート表面で拡散すると、シートの端部から漏れるおそれがある。また、シート表面に排泄物が拡散している状態でペットがシートを踏むと、ペットの足が濡れ、足が濡れた状態でペットが家中を走りまわることによって、家中が汚れるおそれがある。
特許文献１に開示されているペットシートでは、親水性繊維により形成される吸収層と裏面側被覆シートの間に、吸水性樹脂により形成されるシートを配置している。
【００３２】
本実施の形態では、裏面側被覆シート２４として、表面側被覆シート２３と異なるシートを用いることによって、裏面側被覆シート２４における排泄物の拡散を抑制している。本実施の形態では、裏面側被覆シート２４として、疎水性を有するシートを用いている。
【００３３】
裏面側被覆シート２４は、親水性繊維を疎水化処理したシートあるいは疎水性繊維を親水か処理したシートあるいは親水性繊維と疎水性繊維を混合したシートにより構成されている。
親水性繊維としては、例えば、パルプ、レーヨン等が用いられる。親水性繊維を疎水化処理する方法としては、例えば、疎水化剤を散布する方法等が用いられる。疎水化剤としては、例えば、シリコン等の撥水剤（界面活性剤）が用いられる。
疎水性繊維としては、例えば、ポリプロピレン、ポリエチレン、ポリエチレンテレフタレート等が用いられる。疎水性繊維を親水化処理する方法としては、例えば、親水剤を繊維に練り込む方法や親水剤を塗布する方法等が用いられる。
親水性繊維と疎水性繊維を混合する際には、所望の特性を得ることができるように、適宜の割合で混合される。
【００３４】
また、裏面側被覆シート２４は、表面側被覆シート２３より液体拡散性が低く設定されている。
なお、被覆シートの液体拡散性は、以下のようにして測定する。
（１）直径１０ｃｍの容器（ビーカー）にシートを張り、輪ゴムで留める。
（２）ピペッターを用いて、１０ｍｍ上方から水１００μｌをシートの中央部に滴下する。
（３）１分経過した時点および５分経過して時点で、シート上の液体の拡がり（液体拡散面積）を測定する。
液体拡体面積は、直接測定することもできるし、測定値から算出することもできる。例えば、ＭＤ方向（Ｍａｃｈｉｎｅ  Ｄｉｒｅｃｔｉｏｎ）の拡散長およびＣＤ方向（Ｃｒｏｓｓ  Ｄｉｒｅｃｔｉｏｎ）の拡散長を測定する。そして、測定したＭＤ方向拡散長およびＣＤ方向拡散長と以下の計算式を用いて液体拡散面積（ｃｍ２）を算出する。
［（ＭＤ方向拡散長／２）×（ＣＤ方向拡散長／２）×３．１４］
【００３５】
本実施の形態のペット用シートの動作を、図３を参照して説明する。
（１）ペット用シート１０上でペットが排泄を行うと、表面シート３０および表面側被覆シート２３を透過した排泄物（尿）Ｘは、先ず、第２の吸収層２２において、吸収速度が速い吸水性樹脂に吸収される。
（２）第２の吸収層２２の吸水性樹脂で吸収することができなかった排泄物Ｘは、第１の吸収層２１に移行する。
（３）第１の吸収層２１に移行した排泄物Ｘは、さらに移行して裏面側被覆シート２４に到達する。本実施の形態では、裏面側被覆シート２４の液体拡散性が、表面側被覆シート２３の液体拡散性より低く設定されている。このため、裏面側被覆シート２４に到達した排泄物Ｘは、裏面側被覆シート２４内で拡がる（拡散する）のが抑制される。そして、裏面側被覆シート２４内での排泄物Ｘの拡がり（拡散）が抑制されている状態で、第２の吸収層２２を形成している吸水性樹脂が排泄物Ｘを徐々に吸収する。これにより、裏面側被覆シート２４に到達した排泄物Ｘがシート表面側に戻ることに起因するシート表面における排泄物の拡散を抑制することができる。
【００３６】
以上のように、裏面側被覆シート２４の液体拡散性（例えば、液体拡散面積）を表面側被覆シート２３の液体拡散性より低く設定することによって、吸収層で吸収された排泄物が裏面側被覆シート２４に沿って拡がってシート表面側に逆戻りするのを抑制することができ、結果的に、排泄物がシート表面で拡散するのが抑制される。なお、裏面側被覆シート２４の液体拡散性が表面側被覆シート２３の液体拡散性より低く設定されていることで、吸収層で吸収された排泄物が裏面側被覆シート２４に沿って拡散するのを抑制することができる（拡散抑制効果を有する）が、裏面側被覆シート２４の液体拡散性と表面側被覆シート２３の液体拡散性の差が大きい程、拡散抑制効果が大きい。
表面側被覆シート２３として通常使用されている表面側被覆シートを用いられている場合には、裏面側被覆シート２４の拡散面積が２０ｃｍ２以下に設定することによって、裏面側被覆シート２４の液体拡散性を表面側被覆シート２３の液体拡散性より低く設定することができる。
【００３７】
ここで、裏面側被覆シート２４に到達した排泄物Ｘの裏面側被覆シート２４内における拡がり（拡散）が抑制されると、排泄物Ｘが一箇所に溜まることになる。体に装着して使用する吸収シートにおいて排泄物が一箇所に溜まると、溜まった排泄物Ｘが使用者の身体に触れ続けることになり、肌のかぶれやかゆみの原因となる。このため、このような手法は、体に装着して使用する吸収シートには用いられていなかった。
【００３８】
一方、ペット用シートは、体に装着するものではなく、また、水平に載置して使用される（傾いた状態で使用されることは殆どない）。さらに、特に重要なことは、ペットは、同じところに排泄をしない傾向があり、また、濡れたところでは排泄をしない傾向にある。
このため、１枚のシートでの排泄回数を増大させるためには、排泄物の漏れを防止することよりも、シート表面での排泄物の拡散を防止する方が有効である。
【００３９】
なお、接合方法としてエンボス加工を施す方法を用いると、接合領域に凹凸部が形成され、この凹凸部によって、接合領域に繊維密度が高い部分（高密度の部分）と繊維密度が低い部分（低密度の部分）が形成される。この場合、毛細管現象により、排泄物が高密度の部分に沿って拡がる（拡散する）。
吸収層（第１の吸収層２１）と裏面側被覆シート２４が接合されている接合領域、また、裏面側被覆シート２４と裏面シート４０が接合されている接合領域に沿って排泄物が拡散すると、排泄物がシート表面側に戻り、結果としてシート表面で排泄物が拡散することになる。
【００４０】
そこで、本実施の形態では、吸収層（第１の吸収層２１）と裏面側被覆シート２４、また、裏面側被覆シート２４と裏面シート４０が（すなわち、吸収層および裏面シート４０が裏面側被覆シート２４に）、全体にわたって、熱溶着性接着剤（ホットメルト接着剤）を用いて接合されている。ホットメルト接着剤は、加熱溶融することにより液状化し、冷却固化によって接合状態を形成する接着剤である。ホットメルト接着剤としては、公知のものを用いることができる。
なお、本実施の形態では、表面シート３０と表面側被覆シート２３、表面側被覆シート２３と吸収層（第２の吸収層２２）も、全体にわたって、ホットメルト接着剤を用いて接合されている。
【００４１】
「全体にわたって接合されている」という記載は、吸収層と裏面側被覆シート２４（裏面側被覆シート２４と裏面シート４０）の面のうち、積層方向（上下方向）に沿って対向して配置される面が全体にわたって接合されている構成を表している。「全体にわたって接合されている」構成には、積層方向（上下方向）に対向して配置され面のうちの少なくとも一方の面全体（全面）に、接着剤をまんべんなく塗布する態様や、少なくとも一方の面全体に、接着剤をスパイラル状、格子状、ストライプ状、散点状等の非連続パターンで塗布する態様が包含される。
【００４２】
図２に示されている接合部５０（５１、５２、５３、５４）は、それぞれ、表面シート３０と表面側被覆シート２３、表面側被覆シート２３と吸収層（第２の吸収層２２）、吸収層（第１の吸収層２１）と裏面側被覆シート２４、裏面側被覆シート２４と裏面シート４０がホットメルト接着剤によって接合されている部分である。
熱溶着接着剤を用いて、全体にわたって接合することにより、吸収体を表面シート３０と裏面シート４０の間に強固に固定することができ、吸収体の型崩れを防止することができる。
【００４３】
以上では、親水性繊維により形成される第１の吸収層２１の上面に吸水性樹脂を配置したが、吸水性樹脂を第１の吸収層の内部に設けることもできる。
本発明の他の実施の形態のペット用シート１１０の断面図を図４に示す。
本実施の形態のペット用シート１１０は、吸収体１２０の吸収層の構成が異なるだけで、他の構成はペット用シート１０と同じである。したがって、吸収体１２０の構成についてのみ説明する。
【００４４】
吸収体１２０は、吸収層１２１、表面側被覆シート１２３および裏面側被覆シート１２４を有している。
吸収層１２１は、親水性繊維により形成されているとともに、吸水性樹脂により形成される第２の吸収層１２２が第１の吸収層１２１内に設けられている。吸収層１２１を形成する親水性繊維としては、前述した第１の吸収層２１を形成する親水性繊維と同じものを用いることができる。また、第２の吸収層１２２を形成する吸水性樹脂としては、前述した第２の吸収層２２を形成する吸水性樹脂と同じものを用いることができる。
本実施の形態のペット用シート１１０は、前述したペット用シート１０と同様の効果を有している。
【００４５】
本発明は、実施の形態で説明した構成に限定されず種々の変更、追加、削除が可能である。
実施の形態では、吸収層を、パルプ等の親水性繊維により形成される第１の吸収層と吸水性樹脂（ＳＡＰ）により形成される第２の吸収層により構成したが、第１の吸収層のみで構成することもできる。
第２の吸収層の第１の吸収層に対する配置位置や第２の吸収層の数は、適宜選択することができる。例えば、第１の吸収層の上部と下部に配置する態様、第１の吸収層の上部と内部に配置する態様等を選択することができる。
表面シートと表面側被覆シート、表面側被覆シートと吸収層、吸収層と裏面側被覆シート、裏面側被覆シートと裏面シートを熱溶着性接着剤（ホットメルト接着剤）を用いて接合したが、排泄物が接合部に沿って拡散するのを抑制するには、少なくとも、吸収層と裏面側被覆シート、裏面側被覆シートと裏面シートが熱溶着性接着剤を用いて接合されていればよい。
接合方法としては、熱溶着性接着剤（ホットメルト接着剤）を用いる接合方法以外の方法を用いることもできる。
【符号の説明】
【００４６】
１０、１１０  ペット用シート
２０、１２０  吸収体
２１、１２１、３２１  第１の吸収層
２２、１２２、３２２  第２の吸収層
２３、１２３、３２３  表面側被覆シート
２４、１２４、３２４  裏面側被覆シート
３０、１３０  表面シート
４０、１４０  裏面シート
５０、５１、５２、５３、５４、１５０、１５１、１５２、１５３、１５３  接合部
６０  床面（載置箇所）
【図１】
2014014303.tif 000003
【図２】
2014014303.tif 000004
【図３】
2014014303.tif 000005
【図４】
2014014303.tif 000006
【図５】
2014014303.tif 000007